(57)【特許請求の範囲】
【請求項１】
軸支部を中心に揺動可能に支持されたラッチ部材と、該ラッチ部材を解錠方向に揺動附勢するスプリングと、該スプリングの反発力を前記ラッチ部材を介して受けて回動附勢されるとともに、前記反発力に抗して前記ラッチ部材を鎖錠方向に回動操作するための操作部材と、該操作部材の押し込み操作および押し込み操作の解除により一方向に回動して、該操作部材の係止部を保持し、次の操作部材の押し込み操作および押し込み操作の解除により前記係止部の保持を解除する係止ロック駒とを備えてなることを特徴とするラッチ錠。
【請求項２】
前記係止ロック駒が、前記操作部材の押し込み操作によって回動附勢され、この押し込み操作の解除によって操作方向とは逆方向に回動しようとする操作部材の係止部を保持し、続く操作部材の押し込み操作によって回動附勢されて、前記係止部の保持を解除する一対の係止溝を持つことを特徴とする請求項１に記載のラッチ錠。
【請求項３】
前記係止ロック駒が前記係止溝を挟む一対の突起を持ち、前記係止溝に操作部材の係止部を保持したとき、前記各突起のうち係止ロック駒の前記係止溝側にある突起の先端部に対し、前記係止部を干渉させて、前記係止ロック駒および操作部材相互の回転をロックするようにしたことを特徴とする請求項２に記載のラッチ錠。
【発明の詳細な説明】
【０００１】
【発明の属する技術分野】
本発明は、配電盤、制御盤、キュービクル、キャビネットなどの筺体に対する扉の開閉時に使用する鎖錠、および鎖錠解除のためのラッチ錠に関する。
【０００２】
【従来の技術】
従来から、配電盤や制御盤などの筺体には、これを開閉する扉の鎖錠および鎖錠解除を行うためのラッチ錠が取り付けられている。このラッチ錠は、例えばケース内に収納されて、ケース開口部の内外に出没するラッチ部材と、このラッチ部材をケース外へ突出する方向に附勢するスプリングとを有し、筺体に設置される。従って、この筺体の扉を閉じようとすると、扉の一部がラッチ部材に当ってこのラッチ部材がケース内に没入され、続いてスプリングの反発力を受けてラッチ部材が扉の係止部に係合する。このようなラッチ錠は、扉の開閉時に扉の開閉操作とともにラッチ部材をケースの内外に出没させて、扉の閉止状態を単に軽く保持する構成であり、その扉の閉止状態をロックできない。
【０００３】
一方、これに対し筺体を扉が閉じている状態をロックする機能をそのラッチ錠に持たせたものも種々提案されているが、これらの多くは、扉を閉じている状態をロックするために、扉を開閉する一連の操作とは別の操作で、前記ラッチ部材の動きを規制する機構が別途必要になる。
【０００４】
【発明が解決しようとする課題】
しかしながら、このような従来のラッチ錠においては、扉の閉止状態をロックするためには、このロックのためロック機構を前記のように別途ケース内に設置し、このロックのための機構を作動させるための操作を、閉止操作とは別に行わなければならないという不都合があった。また、このようなロック機構の設置によってラッチ錠全体の構造が複雑化してコスト高になるほか、扉を閉鎖するための操作数が増え、その操作が煩わしいという問題があった。
【０００５】
本発明は前記従来の欠点に着目し、これを解決せんとするものであり、その目的は、初めのプッシュ（押し込み）操作によってラッチ部材による扉の閉止状態をロック可能にし、再度のプッシュ（押し込み）操作によって前記閉止状態のロック解除可能にし、これにより簡単かつ迅速に扉の開閉操作を行うことができるラッチ錠を提供することにある。
【０００６】
【課題を解決するための手段】
本発明は前記目的に鑑みてなされたものであり、その要旨とするところは、軸支部を中心に揺動可能に支持されたラッチ部材と、該ラッチ部材を解錠方向に揺動附勢するスプリングと、該スプリングの反発力を前記ラッチ部材を介して受けて回動附勢されるとともに、前記反発力に抗して前記ラッチ部材を鎖錠方向に回動操作するための操作部材と、該操作部材の押し込み操作および押し込み操作の解除により一方向に回動して、該操作部材の係止部を保持し、次の操作部材の押し込み操作および押し込み操作の解除により前記係止部の保持を解除する係止ロック駒とを備えてなることを特徴とするラッチ錠にある。
【０００７】
この態様によれば、操作部材の押し込み操作によるラッチ部材の解錠方向および鎖錠方向への附勢と、係止ロック駒の回動と、この回動による係止ロック駒による操作部材自体のロックおよびロック解除を、少ない部品および簡単な構成によってスムースに実施できる。
【０００８】
本発明の他の要旨は、前記係止ロック駒が、前記操作部材の押し込み操作によって回動附勢され、この押し込み操作の解除によって操作方向とは逆方向に回動しようとする操作部材の係止部を保持し、続く操作部材の押し込み操作によって回動附勢されて、前記係止部の保持を解除する一対の係止溝を持つことを特徴とするラッチ錠にある。
【０００９】
この態様によれば、軽量で簡単な構成の係止ロック駒の溝部を、操作部材によるこの係止ロック駒の回転操作部材およびこの係止ロック駒による操作部材のロック部材として使用することで、ラッチ部材による扉などの閉止ロックを確実にすることができる。
【００１０】
本発明のさらに他の要旨は、前記係止ロック駒が前記係止溝を挟む一対の突起を持ち、前記係止溝に操作部材の係止部を保持したとき、前記各突起のうち係止ロック駒の前記係止溝側にある突起の先端部に対し、前記係止部を干渉させて前記係止ロック駒および操作部材相互の回転をロックするようにしたことを特徴とする。
【００１１】
この態様によれば、操作部材の係止部および係止ロック駒の相対的なサイズ、形状を決定するのみで、係止ロック駒の回動を規制するために、スプリングや長孔などを使った複雑なメカニズムを採用せずに、操作部材のロック機構を安価に構成できる。
【００１２】
【発明の実施の形態】
以下、本発明の実施の形態を図について説明する。図２、図３、図４は本発明のラッチ錠の平面図、正面図および右側面図であり、全体として直法形のケース１と、このケース１の上部開口１ａを開閉自在に塞ぐ操作部材２とを有する。また、ケース１は、図５および図６に示すような合成樹脂の成型品として得られ、薄肉の連結部３を介して繋れる前後二つの半ケース部分４ａ、４ｂを、図２および図４に示すように衝き合わせて連結したものからなる。
【００１３】
前記半ケース部分４ｂの右側壁には、他方の半ケース部分４ａに対する前記衝き合わせ方向に突出する係止爪片５が突設されている。一方、前記他方の半ケース部分４ａの右側壁には、前記衝き合わせ時に、前記係止爪片５が挿入されてこれを抜け止めする係止孔６が設けられている。さらに、各半ケース部分４ａ、４ｂの左右側壁および底板には、前後対称形状の衝き合わせ面ａ１、ａ２およびｂ１、ｂ２が設けられている。
【００１４】
これらのうち、衝き合わせ面ａ１、ｂ１は半ケース部分４ａ、４ｂの周縁に略Ｌ字状に設けられ、衝き合わせ面ａ２、ｂ２は半ケース部分４ａ、４ｂの左上部の僅かな領域に設けられている。そして、これらの衝き合わせ面ａ１、ｂ１が設けられない部分、つまり左側壁が設けられない部分は、ラッチ部材２０がケース１の内外に出没する後述の係止孔を形成する。
【００１５】
また、これらの衝き合わせ面ａ１、ａ２には小径の位置決め孔７が設けられ、他方の衝き合わせ面ｂ１、ｂ２には、その位置決め孔７に対応する位置に突ピン８が一体に設けられている。従って、ケース１の組み付け時にこれらの突ピン８が対応する位置の位置決め孔７に嵌まり込むことで、各半ケース部分４ａ、４ｂの組み付け位置を正しくかつ容易に決められるようにされている。
【００１６】
また、半ケース部分４ａの衝き合わせ面ａ２付近の前壁内面と半ケース部分４ｂの衝き合わせ面ｂ２の後壁内面には、前記操作部材２に一体に設けられた回動軸を支持する軸孔９ａ、９ｂと、後述のラッチ部材に一体に設けられた回動軸を支持する軸孔１０ａ、１０ｂが形成されている。
【００１７】
さらに、ケース１下部における半ケース部分４ａの前壁内面および半ケース部分４ｂの後壁内面の各隅部には、各衝き合わせ面ａ１、ｂ１に連続し、かつこれにより低い段部１１ａ、１１ｂが一体に形成されている。これらのうち段部１１ａには、後述のスプリングの一端を係止するためのピン１２が突設され、段部１１ｂにはこのピン１２の先端部を受け入れて支持するピン挿入孔１３が設けられている。
【００１８】
さらに、前記各半ケース部分４ａ、４ｂの衝き合わせ面ａ２、ｂ２に連続する所定位置には、前記段部１１ａ、１１ｂより更に低い段部１４ａ、１４ｂが設けられている。これらの各段部１４ａ、１４ｂの互いに対応する位置には、後述の係止ロック駒に一体の回動軸を支持するための軸孔１５ａ、１５ｂが設けられている。各半ケース部分４ａの前壁および半ケース部分４ｂの後壁には、上部が自由端となる切り起こし片が１６ａ、１６ｂが一体に設けられている。
【００１９】
これらの切り起こし片１６ａ、１６ｂと各半ケース部分４ａ、４ｂの上端周縁の突縁１ｂ、１ｃとの間には扉などのパネル１７の取付孔１７ａの周縁部を挟持可能にしている。これらの切り起こし片１６ａ、１６ｂの上端面には、パネル１７との摩擦抵抗を確保するための凹凸面などの摩擦処理が施されている。１８はラッチ錠の後述のラッチ部材２０を係脱させるための、係止孔１９を持った盤類である。
【００２０】
図１（ａ）〜図１（ｇ）は、本発明のラッチ錠における前記ケース１の内部構造およびラッチ錠の組み立て工程を詳細に示す。ここでは、説明を分り易くするため、半ケース部分４ａの図示を省き、半ケース部分４ｂに前記操作部材２、ラッチ部材２０および係止ロック駒２１を装着した状態を図示してある。ラッチ部材２０は全体として錨形状をなし、上方の突出部２２の前後端面には回動軸２２ａが設けられている。これらの各回動軸２２ａは図５に示した軸孔９ａ、９ｂに挿入されて、ケース１内で回動自在に支持されている。
【００２１】
また、このラッチ部材２０は図上左方に向って先細りとなる、下面が円滑な傾斜面の係止部２０ａを有し、これが、回動軸２２ａを中心とする揺動（回動）によって、各半ケース部分４ａ、４ｂ間に作られた係止孔２３の内外に出没可能となっている。
【００２２】
また、ラッチ部材２０の下部には下方および右方に開口する切欠２４が形成されており、この切欠２４内に突設された係止ピン２５と前記ケース１内の段部１１ａに突設されたピン１２とに、コイル型のスプリング２６の各一端が係止されている。従って、ラッチ部材２０はこのスプリング２６によって、その先端部をケース１の内方へ常時附勢している。
【００２３】
次に、前記操作部材２は、左端部の前後端に回動軸２ａを持つ。これらの回動軸２ａは、図５に示した半ケース部分４ａ、４ｂの前記軸孔１０ａ、１０ｂに挿入されて、ケース１内で回動自在に支持されている。また、この操作部材２の前後部の下面には、スプリング支持片２７が突設されており、これらの支持片２７と操作部材２との間に、略Ｕ字状に折り曲げられた板スプリング２８の一方の片が挿入されて、容易に脱抜しないように保持されている。この板スプリング２８の他方の片は撓み片２８ａとされて、先端が内側にわん曲に形成され、前記ラッチ部材２０の突部２０ｂに摺接可能に支持されている。
【００２４】
また、前記操作部材２の下面には、中央部に空隙３０を形成するように、駒案内部材２９が、ブリッジ状に突設されており、この駒案内部材２９の水平ブリッジ２９ａが、係止ロック駒２１によって係止ロック可能な係止部として後述のように機能する。なお、駒案内部材２９の図上右側面は全体として滑らかな円弧面２９ｂに形成され、従って係止部である水平ブリッジ２９の側面も円弧面Ｌとなっている。さらに、前記操作部材２の下面であって、前記駒案内部材２９の右方には駒ガイド溝３１が形成され、この駒ガイド溝３１の前縁部３１ａ付近が係止ロック駒２１の回動操作部となっている。
【００２５】
一方、係止ロック駒２１は、図７および図８に示すように、前後に突出する回動軸２１ａを中心として、隣り合う１組の台形および三角形の突起３２、３３を２組分点対称配置した構成を持つ。これらの突起３２、３３間にはＶ字溝としての係止溝３４ａとこれにより緩やかな傾きのＶ字溝であるガイド溝３４ｂとが形成されている。
【００２６】
また、台形の突起３３のガイド溝３４ａ側のガイド溝３４ａ側の傾斜面Ｋは、前記水平ブリッジ２９の円弧面Ｌに後述のように接触する。なお、三角形の突起３２は台形の突起３３よりも外径方向に尖って僅か突出しており、台形の突起３３の外周面は円弧状に形成されている。そして、前記各回動軸２１ａは、図５に示すような前記軸孔１５ａ、１５ｂ内に挿入されて、小さな摩擦抵抗にて回動可能に支持されている。
【００２７】
次に、このような構成のラッチ錠の動作を説明する。図１（ａ）はこのラッチ錠の解錠状態を示す。この状態においては、操作部材２の係止ロック駒２１による後述のロック動作が解除されているため、ラッチ部材２０はスプリング２６の反発力（収縮力）を受けて、回動軸２２ａを中心に、図上反時計方向に揺動附勢されている。
【００２８】
このため、揺動附勢されたラッチ部材２０の係止部２０ａはケース１内に没入し、一方、突部２０ｂがケース１の上部開口１ａより上方に大きく突出する。従って、その突部２０ｂに接触している板スプリング２８を持つ操作部材２は、回動軸２ａを中心に反時計方向にはね上げられた状態で、ケース１上に起立している。このとき、係止ロック駒２１は図示の状態に傾いているが、必ずしもこの傾きである必要はない。
【００２９】
ここで、このラッチ錠により盤類１８に対する鎖錠を行う場合には、操作部材２の上面を指で押し下げ、この操作部材２を回動軸２ａを中心として図１（ａ）の矢印Ｐ方向に回動させる。この回動により、ラッチ部材２０の突部２０ｂが板スプリング２８の撓み片２８ａに押されて回動軸２２ａを中心に時計方向に回動する。また、操作部材２の駒案内部材２９の円弧面２９ｂが図１（ｂ）に示すように係止ロック駒２１の緩やかなガイド溝３４ｂに軽く摺接しながら下方へ移動する。
【００３０】
さらにこの操作部材２を押し下げると、操作部材２に形成された前記駒ガイド溝３１の前縁部３１ａが係止ロック駒２１の係止溝３４ａ内に、図１（ｃ）に示すように入り込みながら、三角形の突起３２の内側面を下方へ押圧する。これにより、係止ロック駒２１は、図１（ｄ）に示すように回動軸２１ａを中心に時計方向に回動する。このとき、三角形の突起３２は台形の突起３３より径が大きいため、駒ガイド溝３１の前縁部３１ａによる突起３２の係合および回動操作が確実となる。
【００３１】
このため、係止ロック駒２１の対称位置にあるもう一方の三角形の突起３２の先端が、駒案内部材２９の前記空隙３０内に突出する。ここで、この操作部材２の押し込み操作を止めて、この操作部材２から指を離すと、スプリング２６の反発力をラッチ部材２０を介して受ける操作部材２は、回動軸２ａを中心に反時計の矢印方向Ｑに回動する。この回動によって、前記駒案内部材２９の水平ブリッジ２９ａの右側面である円弧面２９ｂが、図１（ｅ）に示すように係止ロック駒２１の係止溝３４ａ内に入り込む。
【００３２】
このとき、スプリング２６の反発力を受けて矢印Ｖ方向に附勢されている操作部材２は、係止ロック駒２１を矢印Ｗ方向へ回転させようとする。しかし、係止ロック駒２１の係止溝３４ａ側の突起３３の先端部（角部またはその付近）が、前記円弧面２９ｂの下部に点（または面）Ｘで衝合し、この点（または面）Ｘにおける操作部材２の矢印Ｗの移動方向と前記角部の矢印Ｙの回動方向とが互いに干渉し合う方向となる。このため、前記衝合は解除されず、操作部材２はロック状態となる。このような操作部材２のロック状態においては板スプリング２８を介してラッチ部材２０の突部２０ｂがスプリング２６の反発力に抗して押し下げられている。このため、ラッチ部材２０の係止部２０ａは所定量を係止孔２３の外へ突出した状態に維持され、盤類１８に対するパネル１７の鎖錠状態を継続する。
【００３３】
次に、このような盤類１８に対する鎖錠を解除するには、前記操作部材２を図１（ｆ）に示すように指で再度押し下げ操作する。この押し下げ操作力を受けて操作部材２は回動軸２ａを中心に時計方向に回動するため、この操作部材２下面の前記前縁部３１ａが、これに対向する係止ロック駒２１の台形の突起３２を下方へ押し下げる。
【００３４】
このため係止ロック駒２１の係止溝３４ａおよび前記角部から離れるように、駒案内部材２９の水平ブリッジ２９ａも下降するとともに、係止ロック駒２１は最大量時計方向に回動し、係止ロック駒２１の前記係止溝３４ａおよび前記角部から水平ブリッジ２９ａが下方へ離れていく。
【００３５】
従って、係止ロック駒２１は駒案内部材２９の移動規制を解除するとともに、自身の回動も自由になり、図６（ｇ）に示すような状態となる。この状態では、操作部材２は何の回動規制を受けることもなく、操作部材２の前記再度の押し下げを最大量行った後は、これから指を離すことにより、スプリング２６の反発力をラッチ部材２０を介して受けて、一気に時計方向に回動して、図１（ａ）に示す状態になる。この状態では、ラッチ部材２０の係止部２０ａは係止孔２３の外へ突出して、盤類１８に対する鎖錠動作を解除することとなる。
【００３６】
このように、ラッチ部材２０の係止部２０ａのケース１からの突出動作のロックは、ロック錠を別途用意したり、両手操作をしたりして行う必要がなく、操作部材２に対する作業者の片手の指によるいわゆるプッシュ・プッシュ操作のみで行える。従って初めのプッシュ（押し込み）操作のみでラッチ部材をケース１外へ突出させてこれを保持でき、盤類１８に対する鎖錠を確実にできるとともに、次のプッシュ操作によってこの鎖錠を簡単かつ迅速に解除できる。なお、このプッシュ操作は女性などの指の爪を傷めることもない。
【００３７】
また、ラッチ部材２０の係止部２０ａの前記出没動作は回動軸２２ａを中心とする揺動であるため、ラッチ部材２０の運動領域を小さく抑えることができ、従って、ラッチ錠全体のサイズを小形化できる。さらに、操作部材２が図１（ａ）に示すように大きく立ち上がっている解除状態を除いて、板スプリング２８の撓み片２８ａがラッチ部材２０の突部２０ｂに接触している。
【００３８】
このため、ケース１の係止孔２３から突出するラッチ部材２０の係止部２０ａに対して、盤類１８などからの大きな外力が作用しても、板スプリング２８の撓み片２８ａを撓ませることで、その外力を吸収でき、ラッチ部材２０を含むラッチ錠全体の損傷や破壊を未然に防止することができる。
【００３９】
【発明の効果】
以上のように、本発明によれば、ラッチ部材を鎖錠方向に揺動操作可能にするとともに、スプリングの反発力を前記ラッチ部材を介して受けて回動する操作部材を設け、該操作部材の押し込みおよび押し込み解除の操作により係止ロック駒を一方向に回動させて、この係止ロック駒に該操作部材の係止部を保持させ、次の前記操作部材の押し込みおよび押し込み解除の操作により前記係止部の保持を解除させるようにしたので、操作部材の押し込み（プッシュ）操作によるラッチ部材の解錠方向および鎖錠方向への揺動と係止ロック駒の回動、この回動による係止ロック駒による操作部材自体のロックおよびロック解除を少ない部品および小形で簡単な構成にてスムースに実施できる。
【００４０】
また、本発明によれば、前記係止ロック駒に前記操作部材の押し込み操作によって回動附勢され、この押し込み操作の解除によって操作方向とは逆方向に回動しようとする操作部材の係止部を保持させ、続く操作部材の押し込み操作によって回動附勢されて、前記係止部の保持を解除する一対の係止溝を持たせるようにしたので、軽量で簡単な構成の係止ロック駒の溝部を、操作部材によるこの係止ロック駒の回転操作部材およびこの係止ロック駒による操作部材のロック部材として使用でき、これによりラッチ部材による扉、パネルの閉止ロックを確実にすることができる。
【００４１】
さらに、本発明によれば、前記係止ロック駒が前記係止溝を挟む一対の突起を持ち、前記係止溝に操作部材の係止部を保持したとき、前記各突起のうち係止ロック駒の前記係止溝側にある突起の先端部に対し、前記係止部を干渉させて、前記係止ロック駒および操作部材相互の回転をロックするようにしたので、操作部材の係止部および係止ロック駒の相対的なサイズ、形状を決定するのみで、係止ロック駒の回動を規制するために、スプリングや長孔などを使った複雑なメカニズムを採用せずに、操作部材のロック機構を安価に構成できるというメリットが得られる。
【図面の簡単な説明】
【図１】本発明の実施の一形態によるラッチ錠の構造および組立工程を示す要部の断面図である。
【図２】図１に示すラッチ錠の平面図である。
【図３】図１に示すラッチ錠の正面図である。
【図４】図１に示すラッチ錠の右側面図である。
【図５】図１に示すケースを展開して示した平面図である。
【図６】図１に示すケースを展開して示した右側面図である。
【図７】図１に示す係止ロック駒の側面図である。
【図８】図７に示す係止ロック駒の正面図である。
【符号の説明】
２  操作部材
２０  ラッチ部材
２１  係止ロック駒
２６  スプリング
２９ａ  水平ブリッジ（係止部）
３２、３３  突起
３４ａ  係止溝
Ｋ  傾斜面
Ｌ  円弧面
【図１】
0003726102.tif 000002
【図２】
0003726102.tif 000003
【図３】
0003726102.tif 000004
【図４】
0003726102.tif 000005
【図５】
0003726102.tif 000006
【図６】
0003726102.tif 000007
【図７】
0003726102.tif 000008
【図８】
0003726102.tif 000009